(57)【要約】【課題】本発明は、コイルと磁石との間のギャップのバラツキをなくして、振動板を適正に振動させることが可能な電気信号変換装置およびこれを利用した電子機器を提供すること。【解決手段】本発明の電気信号変換装置１は、平面上の振動板２と、この振動板２を振動駆動可能な振動発生駆動源３とを備え、振動板２は、振動発生駆動源３を一端部２ａ寄りの裏面に支持すると共に、少なくとも一端部２ａおよびこの一端部２ａと直交して互いに対向する２つの辺部２ｂ、２ｂを、弾性を有するクッション部材９で支持し、振動発生駆動源３を駆動すると、振動板２がこの振動板２の面と直交する方向に振動するようにした。【選択図】        図１
2004247812.tif 000002
【特許請求の範囲】
【請求項１】
平面状の振動板と、この振動板を振動駆動可能な振動発生駆動源とを備え、前記振動板は、前記振動発生駆動源を一端部寄りの裏面に支持すると共に、少なくとも前記一端部およびこの一端部と直交して互いに対向する２つの辺部を弾性を有するクッション部材で支持し、このクッション部材は、一方が前記振動板を支持すると共に他方が前記振動板と対向する側に配置した基台に支持され、前記振動発生駆動源を駆動すると、前記振動板がこの振動板の面と直交する方向に振動するようにしたことを特徴とする電気音響変換装置。
【請求項２】
前記振動発生駆動源は、前記振動板の前記裏面と所定寸法の隙間を有して配設された磁石と、この磁石の外周面との間に所定寸法のギャップを設けて巻回したコイルとを有し、このコイルは、前記振動板の前記裏面に固着され、前記磁石は、板状の第１ヨークに載置され、この第１ヨークが前記振動板の前記裏面に固着した接続部材に支持されて、前記第１ヨークと前記基台との間に隙間が形成されていることを特徴とする請求項１記載の電気音響変換装置。
【請求項３】
前記磁石は、前記振動板の前記一端部と平行な横長状に形成され、前記コイルは、前記磁石の外周面に沿って横長状に巻回され、前記第１ヨークは、前記コイルの長手方向の両端部から突出する部分が前記接続部材で前記振動板の前記裏面に支持されていることを特徴とする請求項２記載の電気音響変換装置。
【請求項４】
前記接続部材は、弾性を有する部材からなることを特徴とする請求項２または３記載の電気音響変換装置。
【請求項５】
前記磁石には、前記振動板の前記裏面と対向する側に第２ヨークが積層配置され、前記第２ヨークと前記振動板の前記裏面との間に前記隙間が形成されていることを特徴とする請求項１乃至４のいずれかに記載の電気音響変換装置。
【請求項６】
前記振動板は、前記一端部と対向する他端部側を剛体で支持したことを特徴とする請求項１乃至５のいずれかに記載の電気音響変換装置。
【請求項７】
前記振動板は、外周端部寄りの表面側に押し釦スイッチを配設したことを特徴とする請求項１乃至６のいずれかに記載の電気音響変換装置。
【請求項８】
振動板を振動操作可能な振動発生駆動源を有する電気音響変換装置と、この電気音響変換装置を装着可能な本体ケースとを備え、前記振動板は、この振動板と直交する方向の面方向に振動可能となっており、前記本体ケースには、前記電気音響変換装置を前記本体ケースの表面から所定深さ沈ませて装着可能な凹部が形成され、
この凹部に前記電気音響変換装置を装着すると、前記基台の外周端部が前記凹部の底部でガイドされると共に、前記振動板の外周端部と前記凹部の内周面との間に所定寸法の隙間が形成されるようにしたことを特徴とする電子機器。
【請求項９】
前記基台は、外形が前記振動板の外形より大きく形成されていることを特徴とする請求項８記載の電子機器。
【請求項１０】
前記基台と前記振動板の外形を同じ大きさに形成し、前記凹部は、前記基台の外周端部をガイド可能な大きさの第１凹部と、この第１凹部より大きく形成されて前記振動板の外周端部との間に前記隙間を有する第２凹部とからなることを特徴とする請求項８記載の電子機器。
【請求項１１】
前記凹部は、前記内周面がテーパ状に形成されて、前記凹部の底部で前記基台をガイドすると共に前記振動板外周端部と前記凹部の内周面との間に前記隙間が形成されるようにしたことを特徴とする請求項８記載の電子機器。
【発明の詳細な説明】
【０００１】
【発明の属する技術分野】
本発明は電気音響変換装置に係わり、特に平面状の振動板を利用した薄型の電気音響変換装置およびこれを用いた電子機器に関する。
【０００２】
【従来の技術】
従来より、ノート型のパーソナルコンピュータや薄型のテレビ、もしくは携帯電話等種々の電子機器に用いられるスピーカ、またはマイクロホン等として、薄型の電気音響変換装置が採用されている。
【０００３】
このような従来の電気音響変換装置は、図１０に示すように、アクリル等の透明材料により平面状の振動板５１が配設されている。
この振動板５１の一端部寄りである図示左側の裏面には、振動板５１を振動駆動可能な振動発生駆動源５２が配設されている。この振動発生駆動源５２は、振動板５１と所定の隙間を有して対向する永久磁石からなる磁石５３が配設され、この磁石５３はヨーク５４を介して基台５５に固着されている。
前記ヨーク５４は、断面が略コ字状に形成され、基部５４ａが基台５５に接着剤等で固着されると共に、基部５４ａから互いに対向して一対の腕部５４ｂ、５４ｂが振動板５１側に所定長さで延長形成されている。
【０００４】
そして、一対の腕部５４ｂ、５４ｂに挟まれた基部５４ａの中央部に磁石５３が固着されている。
また、磁石５３の周囲には、磁石５３の外周面を囲むような内部が中空状に巻回されたコイル５６が振動板５１の裏面に固着されている。また、振動板５１の裏面側の外周端部には、弾力性のある例えばスポンジ状のクッション部材５７が取り付けられ、このクッション部材５７の下端部に基台５５が取り付けられている。
即ち、振動板５１は、外周端部が基台５５に支持したクッション部材５７に支持されて振動板５１の面と直交する面方向に振動可能になっている。
【０００５】
前述したような従来の電気音響変換装置の組立は、まず、振動板５１の裏面の図示左端部寄りの位置にコイル５６を接着剤（図示せず）等で接着すると共に、振動板５１の裏面の外周端部にクッション部材５７を接着する。
次に、予め磁石５３を接着剤等で固着したヨーク５４を基台５５の所定位置に位置決め治具等を使って接着剤等で固着する。
次に、コイル５６の外周部が基台５５に固着したヨーク５４の腕部５４ｂに接触しないように、透明な振動板５１を透して目視で確認しながら、クッション部材５６に基台５５を接着する。
このことにより、ヨーク５４の基部５４ａ中央部に固着した磁石５３と、コイル５５の内周面との間に、所定寸法のギャップが形成されるようになっている。
【０００６】
このように組み立てられた従来の電気音響変換装置がスピーカの場合の場合の動作は、音信号を電気信号とした交流電流をコイル５６に通電すると、コイル５６に磁場が発生し、この磁場が磁石５３の磁場に作用して、コイル５６を振動板５１の面と直交する方向の面方向に振動させようとする磁力が発生する。
この磁力に同期して、クッション部材５７に取り付けた振動板５１が所定の周波数で面方向に振動し、振動板５１から所定の大きさの音を出力可能になっている。
【０００７】
【発明が解決しようとする課題】
しかし、従来の電気信号変換装置は、組立時において、ヨーク５４の腕部５４ｂとコイル５６とが接触しないように、振動板５１を透して目視で確認しながら基台５５をクッション部材５７に接着していたので、組立に時間が掛かると共にコイル５６とヨーク５４の腕部５４ｂとの間のギャップがバラツク問題があった。  前記コイル５６とヨーク５４の腕部５４ｂとの間のギャップがバラツクと、コイル５６に発生する磁場の強さが不揃いになって、振動板５１を振動させて発生する音の出力を大きくできなくなるおそれがあった。
本発明は、前述したような課題に鑑みてなされたものであり、コイルと磁石との間のギャップのバラツキをなくして、振動板を適正に振動させることが可能な電気信号変換装置およびこれを利用した電子機器を提供することを目的とする。
【０００８】
【課題を解決するための手段】
前記課題を解決するための第１の解決手段として本発明の電気信号変換装置は、平面状の振動板と、この振動板を振動駆動可能な振動発生駆動源とを備え、前記振動板は、前記振動発生駆動源を一端部寄りの裏面に支持すると共に、少なくとも前記一端部およびこの一端部と直交して互いに対向する２つの辺部を弾性を有するクッション部材で支持し、このクッション部材は、一方が前記振動板を支持すると共に他方が前記振動板と対向する側に配置した基台に支持され、前記振動発生駆動源を駆動すると、前記振動板がこの振動板の面と直交する方向に振動するようにしたことを特徴とする。
【０００９】
また、前記課題を解決するための第２の解決手段として、前記振動発生駆動源は、前記振動板の前記裏面と所定寸法の隙間を有して配設された磁石と、この磁石の外周面との間に所定寸法のギャップを設けて巻回したコイルとを有し、このコイルは、前記振動板の前記裏面に固着され、前記磁石は、板状の第１ヨークに載置され、この第１ヨークが前記振動板の前記裏面に固着した接続部材に支持されて、前記第１ヨークと前記基台との間に隙間が形成されていることを特徴とする。
【００１０】
また、前記課題を解決するための第３の解決手段として、前記磁石は、前記振動板の前記一端部と平行な横長状に形成され、前記コイルは、前記磁石の外周面に沿って横長状に巻回され、前記第１ヨークは、前記コイルの長手方向の両端部から突出する部分が前記接続部材で前記振動板の前記裏面に支持されていることを特徴とする。
【００１１】
また、前記課題を解決するための第４の解決手段として、前記接続部材は、弾性を有する部材からなることを特徴とする。
【００１２】
また、前記課題を解決するための第５の解決手段として、前記磁石には、前記振動板の前記裏面と対向する側に第２ヨークが積層配置され、前記第２ヨークと前記振動板の前記裏面との間に前記隙間が形成されていることを特徴とする。
【００１３】
また、前記課題を解決するための第６の解決手段として、前記振動板は、前記一端部と対向する他端部側を剛体で支持したことを特徴とする。
【００１４】
また、前記課題を解決するための第７の解決手段として、前記振動板は、外周端部寄りの表面側に押し釦スイッチを配設したことを特徴とする。
【００１５】
また、前記課題を解決するための第８の解決手段として本発明の電子機器は、振動板を振動操作可能な振動発生駆動源を有する電気音響変換装置と、この電気音響変換装置を装着可能な本体ケースとを備え、前記振動板は、この振動板と直交する方向の面方向に振動可能となっており、前記本体ケースには、前記電気音響変換装置を前記本体ケースの表面から所定深さ沈ませて装着可能な凹部が形成され、この凹部に前記電気音響変換装置を装着すると、前記基台の外周端部が前記凹部の底部でガイドされると共に、前記振動板の外周端部と前記凹部の内周面との間に所定寸法の隙間が形成されるようにしたことを特徴とする。
【００１６】
また、前記課題を解決するための第９の解決手段として、前記基台は、外形が前記振動板の外形より大きく形成されていることを特徴とする。
【００１７】
また、前記課題を解決するための第１０の解決手段として、前記基台と前記振動板の外形を同じ大きさに形成し、前記凹部は、前記基台の外周端部をガイド可能な大きさの第１凹部と、この第１凹部より大きく形成されて前記振動板の外周端部との間に前記隙間を有する第２凹部とからなることを特徴とする。
【００１８】
また、前記課題を解決するための第１１の解決手段として、前記凹部は、前記内周面がテーパ状に形成されて、前記凹部の底部で前記基台をガイドすると共に前記振動板外周端部と前記凹部の内周面との間に前記隙間が形成されるようにしたことを特徴とする。
【００１９】
【発明の実施の形態】
以下、本発明に関する電気信号変換装置の実施の形態を図１〜図９に基づいて説明する。図１〜図３は本発明に関する電気音響変換装置の第１の実施の形態を説明する図であり、図４、図５は本発明に関する電気音響変換装置の第２の実施の形態を説明する図であり、図６は本発明に関する電気音響変換装置の変形例を説明する図であり、図７は本発明の電子機器の第１の実施の形態を説明する図であり、図８は本発明の電子機器の第２の実施の形態を説明する図であり、図９は本発明の電子機器の第３の実施の形態を説明する図である。
【００２０】
まず、本発明の第１の実施の形態の電気音響変換装置１は、図１〜図３に示すように、最上部に透明なアクリル板等からなる振動板２が配設され、この振動板２は外形が略矩形状に形成されている。
前記振動板２は、図示手前側の一端部２ａ寄りの裏面に、振動板２を振動駆動可能な振動発生駆動源３が配設されている。
この振動発生駆動源３は、振動板２の裏面との間に所定寸法の隙間を有して永久磁石からなる磁石４が配設され、この磁石４は、振動板２の一端部２ａと平行な横長状に形成されいる。
そして、磁石４は、磁石４より長く形成された横長状で板状の第１ヨーク５の略中央部に載置されて接着剤等で固着されている。
【００２１】
また、磁石４には、振動板２の裏面と対向する側に板状で磁石４と同じ大きさに形成された第２ヨーク６が固着され、この第２ヨーク６と振動板２の裏面との間に所定寸法の隙間が形成されている。
また、振動発生駆動源３は、磁石４および第２ヨーク６の外周面との間に所定寸法のギャップを有して巻回されたコイル７が配設され、このコイル７は、振動板２の裏面に接着剤等で固着されている。
【００２２】
また、磁石４を載置して固定した第１ヨーク５は、横長状のコイル７よりも長く形成され、コイル７の長手方向より外側に延出する両端部が振動板２の裏面に固着した接続部材８に支持されている。
即ち、磁石４は、振動板２の裏面に固着した一対の接続部材８、８に支持した板状の第１ヨーク５に載置されて、第２ヨーク６を挟んで振動板２の裏面と対向して配設されている。前記接続部材８は、例えば後述するクッション部材９と同材質で形成されている。
また、コイル７の内周面と磁石４および第２ヨーク６の外周面との間のギャップは、例えば略０．２ｍｍに形成され、コイル７の下端部と第１ヨーク５との間には、図３に示すように、所定寸法の隙間が形成されている。
【００２３】
また、振動板２は、少なくとも一端部２ａおよびこの一端部２ａと直交する方向で互いに対向する辺部２ｂ、２ｂが、弾性を有するポリウレタン発泡体等からなるクッション部材９で支持され、一端部２ａと対向する側の他端部２ｃが合成樹脂、あるいは金属等からなる剛体１０で支持されている。
そして、クッション部材９と剛体１０とは、一方が振動板２を支持すると共に他方が振動板２と対向する側に配置された板状の基台１１に支持されている。
【００２４】
また、基台１１には、所定の大きさの開口部１１ａが形成されている。そして、クッション部材９および剛体１０の高さ方向の寸法が、振動板２の裏面から第１ヨーク５までの寸法より大きく形成されている。
そのために、磁石４および第２ヨーク６を固着した第１ヨーク５は、振動板２に接続部材８で吊り下げ状態となって、第１ヨーク５と基台１１との間には、所定寸法の隙間が形成されている。
そして、コイル７に交流電流を通電した時に発生するコイル７の磁場に磁石４の磁場が作用して、磁石４が振動板２の面に対して直交ずる方向の面方向に振動することにより振動板２が面方向に振動可能になっている。
【００２５】
前述したような本発明の第１の実施の形態の電気音響変換装置１の組立は、まず、振動板２裏面の一端部２ａ寄りの位置に、コイル７を接着剤等で固着する。次に、第２ヨークを固着した磁石４、および一対の接続部材８を、第１ヨーク５の所定位置に接着剤等でそれぞれ固着する。そして、コイル７の内周面に接するように所定寸法の隙間ゲージ（図示せず）を位置させ、この隙間ゲージをガイドとして磁石４および第２ヨーク６をコイル７の内周部に挿入すると、一対の接続部材８、８が振動板２の裏面に当接する。
この状態の接続部材８、８を振動板２の裏面に接着剤等で接着し、その後隙間ゲージを取り除くことで、コイル７の内周面と磁石４および第２ヨーク６の外周面との間に略０．２ｍｍの均一なギャップが形成れると共に、振動板２の裏面と第２ヨーク６との間に所定寸法の隙間が形成される。
【００２６】
このような裏面に振動発生駆動源３を取り付けた振動板２は、一端部２ａおよび互いに対向する辺部２ｂ、２ｂの裏面にクッション部材９を接着すると共に、他端部２ｃの裏面に剛体１０を接着する。
その後、剛体１０を基準として、基台１１をクッション部材９および剛体１０に接着すると、第１ヨーク５と基台１１との間に所定寸法の隙間が形成されて、本発明の第１の実施の形態の電気音響変換装置１が組み立てられている。
【００２７】
このような第１の実施の形態の電気音響変換装置１は、基台１１を取り付ける前に、隙間ゲージ（図示せず）を用いて振動発生駆動源３を組み立てることができる。そのために、従来例のように、透明な振動板２を透して目視で組み立てることなく、磁石４および第２ヨーク６と、コイル７との間のギャップを均一に組み立てることができ、組立性が良い。
また、振動板２の他端部２ｃが剛体１０で支持されているので、剛体１０を基準にして基台１１を取り付けることができ、基台１１の振動板２に対する位置ズレをなくして、開口部１１ａが後述する電子機器２５の液晶パネル２５ａを露出させる開口部２７ｃとが位置ズレするのを防止できる。
【００２８】
このように組み立てられた本発明の第１の実施の形態の電気音響変換装置１の動作は、まず、振動発生駆動源３のコイル７に音信号を電気信号として所定の交流電流を通電する。
すると、コイル７に所定エネルギーの磁場が発生し、この磁場が磁石４の磁場に作用して、第１ヨーク５に固着した磁石４が振動板２の面に対して直交する方向（面方向）である面方向に振動する。
前記磁石４が振動することで、振動板２が他端部２ｃの剛体１０を支点として一端部２ａ側が面方向に振動する。
【００２９】
そして本発明の電気音響変換装置１がスピーカの場合は、振動板２が音信号に対応して振動して、外部に対して所定周波数の音を出力可能になっている。
また、本発明の電気音響変換装置１がマイクロホンの場合は、外部からの音により振動板２が振動すると、この振動板２の振動に同期してコイル７が振動して、コイル７に誘導起電力が発生する。
この誘導起電力によって生じた電流の電気信号を音信号として入力するようになっている。
【００３０】
また、本発明の第２の実施の形態の電気音響変換装置１５を図４、図５に基づいて説明すると、第１の実施の形態と同じ部材については第１の実施の形態と同じ番号を付して詳細な説明は省略する。
まず、本発明の第２の実施の形態の電気音響変換装置１５は、振動板２が配設され、この振動板２の一端部２ａ寄りの裏面に振動発生駆動源１６が取り付けられている。この振動発生駆動源１６は、磁石４と第２ヨーク６とがコイル７の長手方向と直交する幅方向の寸法より幅広に形成された第１ヨーク１７に固着されている。
【００３１】
また、振動発生駆動源１６は、第１ヨーク１７が、図５に示すように、コイル７より外側に位置する幅方向の両端部を、第１ヨーク１７の横長寸法と略同じ横長に形成された一対の接続部材１８に支持されて、振動板の裏面に取り付けられて、振動発生駆動源１６が振動板２に吊り下げられている。
また、振動板２の裏面の一端部２ａと、互いに対向する辺部２ｂ、２ｂと、他端部２ｃとは、第１の実施の形態と同様に、基台１１に支持したクッション部材９および剛体１０に支持されている。
そして、磁石４および第２ヨーク６とコイル７の内周面との間と、コイル７の外周面と接続部材１８との間とには、それぞれ所定寸法のギャップが形成されている。
【００３２】
このような第２の実施の形態の電気音響変換装置１５の組立は、第１の実施の形態と同様に、基台１１を取り付ける前に、振動発生駆動源１６を組み立てることができ、組立性が良い。
そのために、磁石４および第２ヨーク６とコイル７との間のギャップを均一に組み立てることができる。
【００３３】
また、本発明の第１、第２の実施の形態の電気音響変換装置１、１５の変形例の電気音響変換装置２１は、図６に示すように、振動板２の外周端部寄りの表面側に、押し釦スイッチ２２を配置した物でも良い。前記押し釦スイッチ２２は、図示を省略するが、例えば内部が空洞のドーム状に形されて弾性変形可能なゴム部材を振動板２の表面に取り付けると共に、ゴム部材の天井面に可動接点が形成されている。
また、可動接点と対向する側の振動板２の表面には、可動接点が接触して導通可能な固定接点が形成されている。
このような押し釦スイッチ２２は、ドーム状のゴム部材を押圧操作すると、内部に可動接点が固定接点部接触して導通してＯＮ／ＯＦＦ可能になっている。
前記押し釦スイッチ２２を取り付けた電気音響変換装置１は、押し釦スイッチ２２をＯＮ／ＯＦＦすることにより、例えば後述する電子機器２５側のメニュウ選択等を行うことができるようになっている。
【００３４】
また、本発明の第１、第２の実施の形態の電気音響変換装置１、１５を用いた本発明の電子機器を、例えば携帯電話（図示せず）等で説明する。
まず、第１の実施の形態の電子機器２５に用いる電気音響変換装置１は、図７に示すように、基台１１の外形が振動板２の外形より大きく形成されて、基台１１の外周端部が振動板２の外周端部から外側にはみ出して形成されている。
また、携帯電話等からなる電子機器２５には、電気音響変換装置１を装着可能な本体ケース２６が配設されている。
前記本体ケース２６には、電気音響変換装置１を本体ケース２６の表面２６ａから所定深さ沈み込ませて装着可能な凹部２７が形成されている。
【００３５】
前記凹部２７の底壁２７ａには、電子機器２５側の液晶表示パネル２５ａを露出させるための開口部２７ｂが形成され、この開口部２７ｂが基台１１の開口部１１ａと対向するようになっている。
そして、凹部２７に電気音響変換装置１を装着すると、基部１１の外周端部が凹部２７の底部でガイドされると共に、振動板２の外周端部と凹部２７の内周面との間に寸法Ａの隙間が形成されるようになっている。
そのために、凹部２７の内周面で振動板２の振動が阻害されることがなく、振動板を高精度に振動させることができる。
また、凹部２７に装着した電気音響変換装置１は、振動板２と本体ケース２６の表面２６ａとが略同じ高さになるようになっているので、振動板２が振動時に、振動板２に操作者の指等が誤って触るのを防止できるようになっている。
【００３６】
また、本発明の第２の実施の形態の電子機器３０に用いる電気音響変換装置１は、図８に示すように、基台１１と振動板２との外形をそれぞれ同じ大きさに形成されている。
また、電子機器３０側の本体ケース３１の表面３１ａには、電気音響変換装置１を所定深さ沈み込ませて装着可能な凹部３２が形成されて、この凹部３２の底壁３２ａには、電子機器３０側の液晶表示パネル３０ａが露出する開口部３２ｂが開放されて形成されている。
【００３７】
そして、凹部３２は、基台１１の外周端部をガイド可能な大きさの第１凹部３２ｃと、この第１凹部３２ｃより大きく形成されて振動板２の外周端部との間に寸法Ｂの隙間が形成された第２凹部３２ｄとからなる２段状に形成されている。このような第２の実施の形態の電子機器３０は、振動板２と基台１１との大きさが同じでも、振動板２の外周端部と第２凹部３２ｄとの間に寸法Ｂの隙間が形成さて、振動板２を確実に振動させることができる。
また、凹部３２に装着した電気音響変換装置１は、振動板２と本体ケース３１の表面３２ａとが略同じ高さになって、振動板２が振動時に、振動板２に操作者の指等が誤って触るのを防止できるようになっている。
【００３８】
また、本発明の第３の実施の形態の電子機器３５は、本体ケース３６を有し、この本体ケース３６の表面３６ａを所定深さ沈み込ませて電気音響変換装置１を装着可能な凹部３７が形成されている。
この凹部３７は、底壁３７ａに開口部３７ｂが形成され、内周面３７ｃが底部より上部側が広くなるようなテーパ状に形成されている。
そして、凹部３７に電気音響変換装置１を装着すると、凹部３７の底部で基台１１がガイドされると共に、振動板２の外周端部と凹部３７の内周面３７ｃとの間に寸法Ｃの隙間が形成されるようになっている。
そのために、第３の実施の形態の電子機器３５は、第１、第２の実施の形態の電子機器２５、３０と同じ効果を奏することができる。
【００３９】
なお、本発明の第１、第２の実施の形態の電気音響変換装置１、１５では、振動板２の他端部２ｃ側を剛体１０で支持した物で説明したが、振動板２の外周端部全周をクッション部材９で支持した物でも良い。
即ち、振動板２は、振動発生駆動源３を一端部２ａ寄りの裏面に支持すると共に、少なくとも一端部２ａおよびこの一端部２ａと直交して互いに対向する辺部２ｂ、２ｂを弾性を有するクッション部材９ので支持した物であれば良い。
このような振動板２の外周端部全周をクッション部材９で支持した物は、振動板２の全面を、振動板２の面と直交する方向の面方向に振動させることができ、電気音響変換装置１がスピーカの場合だと、大きな音を出力することができる。
【００４０】
また、本発明の第１、第２の実施の形態の電気音響変換装置１、１５では、振動発生駆動源３を基台１１から浮かせて振動板２側に吊り下げて取り付けた物で説明したが、例えば図１０に示す従来例のような、基台５５にヨーク５４を介して磁石５３を固着したような物でも良い。
即ち、図１０に示す従来例のような、基台５５にヨーク５４を介して磁石５３を固着したような物でも、基台５５の他端部側を剛体（図示せず）で支持することにより、基台５５を振動板５１に対して確実に位置決めすることができ、磁石５３とコイル５６との間のギャップのバラツキをなくすることができる。
【００４１】
また、本発明の第１、第２の実施の形態の電気音響変換装置１、１５のおける振動発生駆動源３、１６は、磁石とコイルとからの磁場の作用で振動板２を振動させる物で説明したが、振動板２の裏面に圧電素子（図示せず）を配設し、この圧電素子で振動板２を振動させるようにした物でも良い。
【００４２】
【発明の効果】
以上説明したように、本発明の電気音響変換装置の振動板は、振動発生駆動源を一端部寄りの裏面に支持すると共に、少なくとも一端部およびこの一端部と直交して互いに対向する２つの辺部を弾性を有するクッション部材で支持し、このクッション部材は、一方が前記振動板に支持されると共に他方が振動板と対向する側に配置した基台に支持され、振動発生駆動源を駆動すると、振動板がこの振動板の面と直交する方向に振動するようにしたので、少なくとも一端部および２つの辺部をクッション部材で支持された振動板を確実に高精度に振動させることができる。
【００４３】
また、磁石は、板状の第１ヨークに載置され、この第１ヨークが振動板の裏面に固着した接続部材に支持されて、第１ヨークと基台との間に隙間が形成されているので、振動板に磁石と第１ヨークとを積層して組み立てることができ、組立が容易でコストダウンが可能な電気音響変換装置を提供できる。
また、コイルと磁石との間のギャップをバラツキなく組み立てることができる。
【００４４】
また、第１ヨークは、コイルの長手方向の両端部から突出する部分が接続部材で振動板の裏面に支持されているので、磁石の振動を接続部材を介して確実に振動板に伝達して、振動板を振動させることができる。
【００４５】
また、接続部材は、弾性を有する部材からなるので、接続部材をクッション部材と同じ物で形成することができ、振動板を更に高精度に振動させることができる。
【００４６】
また、磁石には、振動板の裏面と対向する側に第２ヨークが積層配置され、第２ヨークと振動板の裏面との間に隙間が形成されているので、第２ヨークは、磁石の磁場をコイル側に曲げると共に磁石の磁力をアップさせることができる。
【００４７】
また、振動板は、一端部と対向する他端部側を剛体で支持したので、基台を取り付けるときに、剛体を基準として取り付けることができ、高精度で組立が容易な電気音響変換装置を提供できる。
【００４８】
また、振動板は、外周端部寄りの表面側に押し釦スイッチを配設したので、携帯電話等のメニュウ入力が容易である。
【００４９】
また、本発明の電子機器は、本体ケースに形成した凹部に電気音響変換装置を装着すると、基台の外周端部が凹部の底部でガイドされると共に、振動板の外周端部と凹部の内周面との間に所定寸法の隙間が形成されるので、振動板の外周端部が凹部の内周面と接触せず、振動板を確実に振動させることができる。
また、凹部に装着した電気音響変換装置は、振動板と本体ケースの表面とが略同じ高さになるので、振動板が振動時に、振動板に操作者の指等が誤って触るのを防止できる。
【００５０】
また、基台は、外形が振動板の外形より大きく形成されているので、凹部の底部で基台を確実にガイドできると共に、振動板の外周端部と凹部の内周面との間に隙間を確実に形成することができる。
【００５１】
また、基台と振動板の外形を同じ大きさに形成し、凹部は、基台の外周端部をガイド可能な大きさの第１凹部と、この第１凹部より大きく形成されて振動板の外周端部との間に隙間を有する第２凹部とからなるので、第２凹部の内周面と振動板との間に確実に隙間を形成することができる。
【００５２】
また、凹部は、内周面がテーパ状に形成されて、凹部の底部で基台をガイドすると共に振動板外周端部と凹部の内周面との間に前記隙間が形成されるようにしたので、振動板の外周端部と凹部の内周面とが接触することなく、振動板を高精度に振動させることができる。
【図面の簡単な説明】
【図１】本発明に関する電気音響変換装置の第１の実施の形態を説明する図である。
【図２】本発明に関する電気音響変換装置の第１の実施の形態を説明する図である。
【図３】本発明に関する電気音響変換装置の第１の実施の形態を説明する図である。
【図４】本発明に関する電気音響変換装置の第２の実施の形態を説明する図である。
【図５】本発明に関する電気音響変換装置の第２の実施の形態を説明する図である。
【図６】本発明に関する電気音響変換装置の変形例を説明する図である。
【図７】本発明の電子機器の第１の実施の形態を説明する図である。
【図８】本発明の電子機器の第２の実施の形態を説明する図である。
【図９】本発明の電子機器の第３の実施の形態を説明する図である。
【図１０】従来の電気信号変換装置を説明する要部断面図である。
【符号の説明】
１  第１の実施の形態の電気音響変換装置
２  振動板
２ａ  一端部
２ｂ  辺部
２ｃ  他端部
３  振動発生駆動源
４  磁石
５  第１ヨーク
６  第２ヨーク
７  コイル
８  接続部材
９  クッション部材
１０  剛体
１１  基台
１１ａ  開口部
１５  第２の実施の形態の電気音響変換装置
２２  押し釦スイッチ
２５    第１の実施の形態の電子機器
３０  第２の実施の形態の電子機器
３５  第３の実施の形態の電子機器
【図１】
2004247812.tif 000003
【図２】
2004247812.tif 000004
【図３】
2004247812.tif 000005
【図４】
2004247812.tif 000006
【図５】
2004247812.tif 000007
【図６】
2004247812.tif 000008
【図７】
2004247812.tif 000009
【図８】
2004247812.tif 000010
【図９】
2004247812.tif 000011
【図１０】
2004247812.tif 000012